(57)【要約】      （修正有）【課題】たくさんの小物がスーツケースの中に収納され、活動や生活でそれを使用する場合、スーツケースを開いてから小物を見つける必要があるため、時間の無駄遣いにつながるという問題を解消できるサイドポケット付きスーツケースを提供する。【解決手段】サイドポケット付きスーツケースは、スーツケース本体を備え、スーツケース本体は箱１１と開梱用メインカバー１２を備え、開梱用メインカバーが箱の前面にあり、スーツケース本体の左側または／及び右側に少なくとも１つの外部サイドポケット５が設けられ、サイドポケットはハードシェル構造で、第一ジッパーを介してスーツケース本体の左側または／及び右側に接続されており、スーツケース本体にサイドポケットが設けられる箇所は凹型構造１３であり、サイドポケットが凹型構造内に埋め込まれており、箱の側面周囲にアルミフレームが設けられる。【選択図】図１
0003235280.tif 000002
【実用新案登録請求の範囲】
【請求項１】
スーツケース本体を備え、前記スーツケース本体は箱と開梱用メインカバーを備え、前記開梱用メインカバーが前記箱の前面にあり、前記スーツケース本体の左側または／及び右側に少なくとも１つの外部サイドポケットが設けられ、前記スーツケース本体にサイドポケットが設けられる箇所は凹型構造であり、前記サイドポケットが前記凹型構造内に埋め込まれていることを特徴とするサイドポケット付きスーツケース。
【請求項２】
前記サイドポケットはハードシェル構造で、第一ジッパーを介して前記スーツケース本体の左側または／及び右側に接続されていることを特徴とする請求項１に記載のサイドポケット付きスーツケース。
【請求項３】
前記箱の側面周囲にアルミフレームが設けられることを特徴とする請求項１に記載のサイドポケット付きスーツケース。
【請求項４】
前記開梱用メインカバー内に収納キャビティが設けられ、前記箱から突き出た小型前箱が形成されることを特徴とする請求項１に記載のサイドポケット付きスーツケース。
【請求項５】
前記開梱用メインカバーの下部は接続ベルトを介して前記箱に接続され、周囲は第二ジッパーを介して前記箱に接続されていることを特徴とする請求項１に記載のサイドポケット付きスーツケース。
【請求項６】
前記箱は開梱用メインカバーのジッパーとサイドポケットのジッパーを同時にロックするための双方向ダイヤル錠を備えることを特徴とする請求項１〜５のいずれかに記載のサイドポケット付きスーツケース。
【考案の詳細な説明】
【技術分野】
【０００１】
本実用新案はスーツケースに関し、特にサイドポケット付きスーツケースに関する。
【背景技術】
【０００２】
スーツケースはキャリーケースやトロリーバッグとも呼ばれ、外出時にアイテムを収納するための箱として、荷物の一種である。  通常、スーツケースは旅行に必要な衣服、パーソナルケア製品やお土産を収納するために使用される。
【考案の概要】
【考案が解決しようとする課題】
【０００３】
しかしながら、従来のスーツケースがアイテムを収納できるが、実生活では小物がたくさんあり、これらの小物がスーツケースの中に収納され、活動や生活でそれを使用する場合、スーツケースを開いてから、スーツケース内の小物を見つける必要があるため、時間の無駄遣いにつながってしまう。
【０００４】
本実用新案は、上記のように、従来のスーツケースがアイテムを収納できるが、実生活では小物がたくさんあり、これらの小物がスーツケースの中に収納され、活動や生活でそれを使用する場合、スーツケースを開いてから、スーツケース内の小物を見つける必要があるため、時間の無駄遣いにつながるという問題を解消することを目的とする。
【課題を解決するための手段】
【０００５】
上記の目的を達成するために、本実用新案に係るサイドポケット付きスーツケースは、スーツケース本体を備え、前記スーツケース本体は箱と開梱用メインカバーを備え、前記開梱用メインカバーが前記箱の前面にあり、前記スーツケース本体の左側または／及び右側に少なくとも１つの外部サイドポケットが設けられる。
【０００６】
好ましくは、前記サイドポケットはハードシェル構造で、第一ジッパーを介して前記スーツケース本体の左側または／及び右側に接続されている。
【０００７】
好ましくは、前記スーツケース本体にサイドポケットが設けられる箇所は凹型構造であり、前記サイドポケットが前記凹型構造内に埋め込まれている。
【０００８】
好ましくは、前記箱の側面周囲にアルミフレームが設けられる。
【０００９】
好ましくは、前記開梱用メインカバー内に収納キャビティが設けられ、前記箱から突き出た小型前箱が形成される。
【００１０】
好ましくは、前記開梱用メインカバーの下部は接続ベルトを介して前記箱に接続され、周囲は第二ジッパーを介して前記箱に接続されている。
【００１１】
好ましくは、前記箱は開梱用メインカバーのジッパーとサイドポケットのジッパーを同時にロックするための双方向ダイヤル錠を備える。
【考案の効果】
【００１２】
従来技術に比べて、本実用新案は次の良好な効果がある。
【００１３】
設計されたサイドポケットにより、収納する小物がある場合、ジッパーを片側に引いて、片側が固定されているサイドポケットを開く。サイドポケットを開くと小物をサイドポケットに入れ、このように、サイドポケットで小物を収納できる。また、必要に応じて速やかに小物を取り出せるため、収納中に小物を見つけるのに時間がかかるという問題を解消できる。
【図面の簡単な説明】
【００１４】
【図１】本実用新案の構造概略図である。
【図２】本実用新案のスーツケース本体の左側の全体的構造概略図である。
【図３】本実用新案のスーツケース本体１の右側の上肩部に設けられる凹型構造１３の局所的構造概略図。
【考案を実施するための形態】
【００１５】
以下、添付する図面を参照し本実用新案の実施形態についてさらに説明する。明らかに、記載された実施形態は、すべての実施形態ではなく、本実用新案の実施形態の一部にすぎない。本実用新案の実施形態に基づき創造的な作業なしに当業者によって得られた他のすべての実施形態は、本実用新案の保護範囲に含まれるものとする。
【００１６】
図１〜３に示すように、本実用新案に係るサイドポケット付きスーツケースは、スーツケース本体１を備え、スーツケース本体１の下部に可動キャスター２が設置され、スーツケース本体１が箱１１と開梱用メインカバー１２を備え、開梱用メインカバー１２が箱１１の前面に設けられ、箱１１の下部に接続ベルト３が設けられ、開梱用メインカバー１２の下部が接続ベルト３を介して箱１１の下部に接続され、スーツケース本体１の上部に上部ハンドル４が固定的に設置され、スーツケース本体１の右側の上肩部に凹型構造１３が設けられ、凹型構造１３にサイドポケット５が固定的に設けられ、サイドポケット５の外壁がハードシェル構造である。スーツケース本体１の上部の開梱用メインカバー１２とサイドポケット５の近くに双方向ダイヤル錠６が設けられた。サイドポケット５が第一ジッパーを介してスーツケース本体１の右側に接続され、錠は双方向ダイヤル錠６によってロックされた。スーツケース本体１の右側にサイドハンドル７が設けられた。
【００１７】
本実用新案では、まず各部品を組み立てた後、開梱用メインカバー１２を開き、収納するアイテムをスーツケース本体１に入れ、収納が完了したら、開梱用メインカバー１２を閉じ、双方向ダイヤル錠６を介して固定・ロックした。収納する小物がある場合、第二ジッパーを引くと、片側が固定されたサイドポケット５を開き、小物をサイドポケット５に入れ、このように、サイドポケット５で小物を収納できる。また、必要に応じて速やかに小物を取り出せるため、開梱用メインカバー１２を開いてスーツケース本体１内の小物を見つける手間を省き、使用効率を向上させることができる。
【００１８】
具体的には、箱１１の側面周囲にアルミニウムフレーム１４が設けられた。本実用新案では、スーツケース本体１の右側の上肩部に凹型構造１３が設けられ、アルミニウムフレーム１４の全体的な構造も箱１１の周囲構造と同じであるため、右肩部にある程度の曲がりがあり、凹型構造を形成し、サイドポケット５全体がアルミニウムフレーム１４及び箱本体の凹型構造１３内に埋め込まれた場合、サイドポケット５全体が出し抜けにならず、サイドポケット５の外側の各表面はスーツケースの他の表面と実質的に同一平面上にとどまるため、外観を改善しスーツケース全体のバランスを確保することができる。
【００１９】
具体的には、開梱用メインカバー１２内に収納キャビティが設けられ、箱１１から突き出た小型前箱が形成された。本実用新案では、小型前箱としての収納キャビティ内に複数の独立したポケットが設けられる可能で、アイテムの分類・収納・片付けに便利である。
【００２０】
具体的には、開梱用メインカバー１２の下部は接続ベルト３を介して箱１１に接続され、周囲は第二ジッパーを介して箱１１に接続されている。本実用新案では、開梱用メインカバー１２の第二ジッパーを下部まで引き、接続ベルト３を介して開梱用メインカバー１２と箱１１を接続することができるため、開梱用メインカバー１２と箱１１は水平位置まで開くことができ、アイテムの収納、取り出し、探しに便利である。
【００２１】
具体的には、箱１１は開梱用メインカバー１２の第二ジッパーとサイドポケット５の第一ジッパーを同時にロックするための双方向ダイヤル錠６を備える。本実用新案では、前面の開梱用メインカバー１２の第二ジッパーの開閉及びサイドポケット５の第一ジッパーの開閉を、双方向ダイヤル錠６を介して同時に制御することができるため、シンプルな構造と美しい外観を実現した。
【００２２】
箱１１の側面に４つのゴム支持パッド８が設けられ、ゴム支持パッド８により、スーツケース本体１を横に置いた場合、ゴム支持パッド８の下部が地面に接触し、このように、ゴム支持パッド８で衝撃吸収と支持を実現し、スーツケースの汚れを防ぐこともできる。
【００２３】
具体的には、サイドハンドル７及び上部ハンドル４の内側に滑り止めパターンが設けられた。
【００２４】
本実用新案では、滑り止めパターンを設けることにより、サイドハンドル７及び上部ハンドル４を持っているときに滑りがなくなった。
【００２５】
具体的には、スーツケース本体１の背面に可動的にプルロッドが設置されており、プルロッドの外壁に滑り止めパターンが設けられた。
【００２６】
本実用新案では、プルロッドを設置することにより、スーツケース本体１をプルロッドを通して引くことができ、接続と移動を両立させた。
【００２７】
本実用新案の実施形態が示され、説明されてきたが、当業者は、本実用新案の原理及び精神から逸脱することなく、これらの実施形態に対して様々な変更、修正、置換、変形を行うことができることを理解することができる。本実用新案の範囲は、添付の特許請求の範囲及びそれらの同等物によって限定される。
【符号の説明】
【００２８】
１  スーツケース本体
１１  箱
１２  開梱用メインカバー
１３  凹型構造
１４  アルミフレーム
２  可動キャスター
３  接続ベルト
４  上部ハンドル
５  サイドポケット
６  双方向ダイヤル錠
７  サイドハンドル
８  ゴム支持パッド
【図１】
0003235280.tif 000003
【図２】
0003235280.tif 000004
【図３】
0003235280.tif 000005